(57)【特許請求の範囲】
【請求項１】
略半球状のヘルメット本体と、該ヘルメット本体内の中央部から放射状に延びる４本の支持バンドを有するハンモックと、前記ヘルメット本体内の少なくとも前側に設けたガイドシートと、前記ヘルメット本体内部と外部との間で前記ガイドシートにガイドされて進退可能であって外部に進出した位置で使用者の顔面を保護する保護シールドとを備えたヘルメットであって、
前記ヘルメット本体の内面には、前記ガイドシート及びハンモックの支持バンドの両方を係止する一対の係止部と前記ガイドシートを係止する一対の係合部とが一体に突出形成されていて、二つの前記係合部の間で前記保護シールドを進退可能とし、
前記ガイドシートには、前記係合部に嵌合する係合孔部と、前記ハンモックの支持バンドを係止する一対の第二係止部とが設けられていて、該第二係止部は、前記係合孔部よりもガイドシートの周方向中央側に突出形成され、
前記ガイドシートは前記ヘルメット本体に対して着脱可能とされ、前記ハンモックは前記ガイドシート及びヘルメット本体に対して着脱可能とされていることを特徴とするヘルメット。
【請求項２】
前記係合部は屈曲部または湾曲部を有する形状とされ、前記ガイドシートに形成した係合孔部と嵌合した状態で前記係合部とガイドシートとが同一面上または同一面に近い位置となるようにした請求項１に記載のヘルメット。
【請求項３】
前記係合部には該係合部より高さの低いリブが形成され、前記ガイドシートは係合孔部が係合部に嵌合した状態で前記リブに乗り上げるようにした請求項２に記載のヘルメット。
【発明の詳細な説明】
【技術分野】
【０００１】
本発明は、ヘルメット本体に進退可能に設けられていて、使用者の顔面を保護する保護シールドを備えたヘルメットに関する。
【背景技術】
【０００２】
従来、この種の保護シールドを備えたヘルメットとして例えば特許文献１に記載されたものがある。
このヘルメットには、使用者の頭部全周を覆いその内径寸法が使用者の頭部の大きさに応じて調整可能なヘッドバンドと、頭部の前方側を覆うように周方向（ヘルメット本体の内面を臨む平面視における周方向）に沿って形成された板状のシールドボックスと、シールドボックスに一体に取り付けられていてヘルメット本体の内面の上部に沿うように湾曲した板状の対衝撃補強支持アームと、シールドボックスに進退可能に取り付けられたシールド板と、このシールドボックスに固着されて使用者の後頭部側を覆うように設けられた取付バンドと、シールドボックスとヘッドバンドにバンド部分が取り付けられたハンモックとが備えられている。
【０００３】
このようなヘルメットにおいては、取り付けバンドがヘルメット本体の内面後部にリベットで固着され、ヘルメット本体の内面前部にはシールドボックスがリベットで固着されている。これら取り付けバンドとシールドボックスにハンモックを係止している。そして、シールドボックスとヘルメット本体の内面との間でシールド板を進退させる隙間を形成するようにしている。
シールド板はシールドボックスに設けたガイド溝に取り付けられて、ガイド溝に沿ってヘルメット本体内とヘルメット本体外とに進退するように構成されている。シールド板は、ヘルメット本体内に収納した退避位置からヘルメット本体外に引き出されることによって使用者の顔面を覆い、これを保護する。
【０００４】
また、特許文献２に記載された顔面保護板付ヘルメットでは、帽体の内面に衝撃吸収ライナを備えていて、その内側にハンモックを備えている。衝撃吸収ライナとハンモックの各前部の間に、帽体とハンモックに取り付けた支持板と顔面保護板とからなる顔面保護板アセンブリを設けている。支持板の端部にはハンモックを帽体内面に固定する固定具が設けられている。ハンモックの下部にはヘッドバンドが着脱自在に取り付けられている。
そして、顔面保護板は帽体内に退避した状態から、帽体の外部の前部に引き出して使用者の顔面を保持した状態で、顔面から遠い位置から顔面保護板の係合部材が係合された支持板を撓ませることによって顔面に比較的近い位置まで三段階に設定可能とされている。
【特許文献１】特許第２９１６１４０号公報
【特許文献２】特開２００３−４９３１６号公報
【発明の開示】
【発明が解決しようとする課題】
【０００５】
しかしながら、上述のヘルメットは、シールド板がシールドボックスとヘルメット本体の隙間に進退可能に設けられることにより、ハンモックの前部側の支持バンドが固着されたシールドボックスを、シールド板の前記幅方向両側端（端部）よりもヘルメット本体の側部側の両端位置でヘルメット本体に固着する必要が生じる。このような場合には、固着した両端位置よりも幅方向内側の隙間を形成するシールドボックスの前部側の幅が広くなるために、シールドボックスのヘルメット本体に固着されていない部分の幅が広くなり、シールドボックスがぐらついてしまう不具合があり、シールドボックスに支持されるハンモックがぐらついてしまうという問題があった。
また、特許文献２に記載されたヘルメットにおいても、支持板はハンモックに固定され、ハンモックは両側の固定具によって帽体の内面に固定されており、顔面保護板の幅よりも幅広を形成する両端部でハンモックを帽体の内面に固定しなければならなかった。
このため、シール板や顔面保護板等の保護シールドを使用者の顔面を充分保護できるように幅広に設定すると、ハンモックの支持バンドの取り付け位置の間隔がより広くなりヘルメットの前部側部分がぐらつく等、装着安定性が不十分となり、使用者の頭部を好適に保護できないおそれがあった。
【０００６】
本発明は、このような実情に鑑みて、保護シールドの幅を十分確保すると共に高い装着安定性を得られるヘルメットを提供することを目的とする。
【課題を解決するための手段】
【０００７】
本発明によるヘルメットは、略半球状のヘルメット本体と、該ヘルメット本体内の中央部から放射状に延びる４本の支持バンドを有するハンモックと、ヘルメット本体内の少なくとも前側に設けたガイドシートと、ヘルメット本体内部と外部との間でガイドシートにガイドされて進退可能であって外部に進出した位置で使用者の顔面を保護する保護シールドとを備えたヘルメットであって、前記ヘルメット本体の内面には、前記ガイドシート及びハンモックの支持バンドの両方を係止する一対の係止部と前記ガイドシートを係止する一対の係合部とが一体に突出形成されていて、二つの前記係合部の間で前記保護シールドを進退可能とし、
前記ガイドシートには、前記係合部に嵌合する係合孔部と、前記ハンモックの支持バンドを係止する一対の第二係止部とが設けられていて、該第二係止部は、前記係合孔部よりもガイドシートの周方向中央側に突出形成され、
前記ガイドシートは前記ヘルメット本体に対して着脱可能とされ、前記ハンモックは前記ガイドシート及びヘルメット本体に対して着脱可能とされていることを特徴とする。
本発明によるヘルメットによれば、ガイドシートを係止部と係合部によってヘルメット本体に取り付けることができるから、ガイドシートの取り付け強度が高く装着安定性が高い。しかも、保護シールドはヘルメット本体とガイドシートとの間においてヘルメット本体に設けた二つの係合部間で進退可能としたから、保護シールドの幅を二つの係合部の間隔で設定でき、使用者の顔面を保護するに十分な幅を確保できる。また、ヘルメット本体に設けた係止部はガイドシートを係止すると共にハンモックの支持バンドも係止することができて、部品数の削減に役立つ。
また、ガイドシートには、係合部に嵌合する係合孔部とハンモックの支持バンドを係止する第二係止部とが設けられているため、第二係止部をガイドシートに設けることで、保護シールドの位置や幅の大きさにかかわらず、任意の位置に第二係止部を設けることができ、この場合でも、ハンモックやガイドシートがぐらつく等することがなくて装着安定性が高く、使用者の頭部を好適に保護できる。
更に、ガイドシートに設けた第二係止部は、係合孔部よりも周方向中央側に設けられているから、ガイドシートを装着する係合部に制限を受けることなく、外部の衝撃や頭部の荷重に対してバランスのとれた好適な位置にハンモックを係止する第二係止部を取り付けることができ、ガイドシートやハンモックの装着安定性を確保できる。
【発明の効果】
【０００８】
本発明のヘルメットによれば、ヘルメット本体に係止部と係合部を設けてガイドシートを固定したからヘルメット本体に対するガイドシートの取り付け強度と装着安定性が高く、その上、係止部はガイドシートだけでなくハンモックの支持バンドも係止することができて、部品数の削減に役立つ。また、ガイドシートにガイドされて進退する保護シールドはその幅を二つの係合部の間隔で設定できるため、使用者の顔面を保護するために必要十分な幅を確保でき、しかも、保護シールドの幅を設定する二つの係合部の間隔を広く設定しても、ガイドシートは係止部と係合部に取り付けるから、ガイドシートの取り付け強度を低下させることなく装着安定性を高く維持できる。
また、ガイドシートには、係合部に嵌合する係合孔部とハンモックの支持バンドを係止する第二係止部とが設けられているため、保護シールドの位置や幅の大きさにかかわらず、任意の位置に第二係止部を設けることができ、ハンモックやガイドシートがぐらつく等することがなくて装着安定性が高く、使用者の頭部を好適に保護できる。
更に、ガイドシートに設けた第二係止部は、係合孔部よりも周方向中央側に設けられているから、ガイドシートを装着する係合部に制限を受けることなく、外部の衝撃や頭部の荷重に対してバランスのとれた好適な位置にハンモックを係止する第二係止部を取り付けることができ、ガイドシートやハンモックの装着安定性を確保できる。
【発明を実施するための最良の形態】
【０００９】
本発明によるヘルメットでは、係合部は屈曲部または湾曲部を有する形状とされ、前記ガイドシートに形成した係合孔部と嵌合した状態で前記係合部とガイドシートとが同一面上または同一面に近い位置となるようにすることが好ましい。
係合部を屈曲部または湾曲部を有する形状とすることで、同様な形状を備えたガイドシートの係合孔部と嵌合した状態で外れにくく高い強度を備えることができる。しかも、係合部に連結して、またはその近傍にリブ等を設けることで、嵌合状態にあるガイドシートと係合部との高さが同一面上または同一面に近い位置となるように形成でき、ヘルメットを装着した使用者の頭部に係合部が当接して不快感や痛みを感じさせることはない。
また、係合部には該係合部より高さの低いリブが形成され、ガイドシートは係合孔部が係合部に嵌合した状態で前記リブに乗り上げるようにしてもよい。
【実施例】
【００１１】
以下、本発明の実施例を添付図面により説明する。
図１は実施例によるヘルメットの分解斜視図、図２はハンモックを除くヘルメットの内面の一部破断平面図、図３はヘルメット内面と外面の部分平面図、図４はヘルメット本体の内面の部分拡大図、図５（ａ）は図３に示す係合部のＡ−Ａ線水平断面図、（ｂ）は図４に示すＢ−Ｂ線縦断面図、図６はガイドシートの平面図、図７（ａ）、（ｂ）は図６に示す第二係止ピンのＣ−Ｃ線断面図と水平断面図、図８と図９は保護シールドの平面図と中央縦断面図、図１０は図８に示す保護シールドのＤ−Ｄ線断面図とＥ−Ｅ線断面図、図１１は止め具の平面図、側面図、中央縦断面図、図１２は止め具で保護シールドを係止した要部中央縦断面図である。
本実施例によるヘルメット１は、例えば警備や建設現場等で使用されるものであり、図１に示すように例えば略半球状のヘルメット本体２と、ヘルメット本体２の内部に装着されるガイドシート３と、ヘルメット本体１に作用した衝撃を吸収するためのハンモック４と、ガイドシート３に進退可能に装着されていて進出位置で使用者の顔面を保護するための保護シールド５とを備えている。また、ガイドシート３には、使用者の頭髪がからまないように保護フィルム６を設けてもよい。
【００１２】
ヘルメット本体２は、例えばアクリロニトリルブタジエンスチレン共重合体等のＡＢＳ樹脂によって形成されたものであり、その前側には、雨や落下物等から使用者の顔面を保護するように前方に突出する庇部２ａが設けられている。なお、本明細書において、前側とは使用者がヘルメット１を装着した状態で顔面が向く方向をいい、後側や後方とは後頭部の方向をいう。
図２乃至図５に示すように、ヘルメット本体２には、その内面２Ｂの周縁部２ｃ側において、後側に係止部として一対の係止ピン８，８が一体に突出形成されており、前側には係合部として例えば略コの字形状の一対の係合凸部９，９が一体に突出形成されている。係止ピン８，８と係合凸部９，９とは、ヘルメット本体２の内面２Ｂにおいて庇部２ａに直交する方向の中心線Ｏに対して線対称に配設されている（図２参照）。
図４に示すように、各係止ピン８は平面視で略Ｕ字形状とされ、内面２Ｂ側に幅広の基部８ａが形成され、その上方に同様な形状で基部８ａより縮径された係止受け部８ｂと、係止受け部８ｂより若干拡幅されたフランジ部８ｃとが順次形成されている。図４に示すように係止受け部８ｂは略Ｕ字の両端が上方に向けてテーパ状に切り欠かれ、その頂部に位置するフランジ部８ｃは基部８ａより長さが短い。
また、図４及び図５に示す係合凸部９は平面視略コの字形状でその内外両側に係合凸部９より高さの低い複数のリブ９ａ、９ｂが一体に形成されている。
【００１３】
ヘルメット本体２の内面２Ｂの周縁部２ｃに取り付けられたガイドシート３は、図２及び図６に示すように、幅広の本体部３ａから両側に幅狭のウイング部３ｂ，３ｂを延ばした略線対称なウイング形状とされている。各ウイング部３ｂの端部には係止ピン８の基部８ａに嵌合する孔部１２が穿孔され、中空の窓部を挟むその内側には係合凸部９に嵌合するための略コの字形状の係合孔部１３が穿孔されている。
ガイドシート３を各係止ピン８と係合凸部９に嵌合した固定状態で、略コの字形状をなす係合孔部１３の両側縁部はリブ９ａ、９ｂに乗り上げるために、少なくともこの領域でガイドシート３のウイング部３ｂ、３ｂは係合凸部９，９の頂部と略面一または若干低い高さに保持され、装着した際に使用者の頭部に係合凸部９，９の頂部が突出してあたって不快感や痛みを与えるのを防いでいる。また、リブ９ａ、９ｂにガイドシート３が乗り上げる構成によって、後述する保護シールド５がガイドシート３とヘルメット本体２との間で摺動する薄層の間隙が形成される。
ガイドシート３の本体部３ａはウイング部３ｂに交差する方向にガイド孔１４が穿孔されている。ガイド孔１４は、例えば中央ガイド孔１４ａとその両側の側部ガイド孔１４ｂ、１４ｂからなる３本が所定間隔で配列されている。各ガイド孔１４ａ、１４ｂはヘルメット本体２の内面２Ｂにおける奥方向端部に幅広孔１４ａｂ、１４ｂｂが形成されている。中央ガイド孔１４ａの幅広部１４ａｂには段付きのストッパ孔１４ａｃが更に設けられている。
また、ウイング部３ｂにおけるコの字形状の係合孔部１３の更に本体部３ａ側（内側）にはハンモック４を係止するための第二係止部として第二係止ピン１５、１５が設けられている。第二係止ピン１５は基部８ａを除いた係止ピン８と同様の形状を有している（図７参照）。ガイドシート３も線対称に形成されている。
【００１４】
図８、図９に示す保護シールド５は、例えばポリカーボネート等で形成した透明もしくは半透明の部材とされ、凸の円弧状に湾曲形成されている。保護シールド５は、ガイドシート３の中央ガイド孔１４ａとその両側の側部ガイド孔１４ｂ、１４ｂとに係合され、ヘルメット本体２の内部に後退した収納位置とヘルメット本体２の外部に突出した進出位置との間で各ガイド孔１４ａ、１４ｂに沿って摺動して進退可能とされている。
そのため、図８において、保護シールド５の一端部には幅方向中央に中央ガイド孔１４ａに係合する中央摺動凸部１７が形成され、その両側に側部摺動凸部１８、１８が形成されている。中央摺動凸部１７は図９及び図１０に示すように、保護シールド５の本体の両側に切欠を形成して湾曲方向に突出する略Ｕ字形状をなすと共にこのＵ字の両端から外側に突出する鍔部が形成されている。側部摺動凸部１８は保護シールド５の本体に切欠を形成して湾曲方向に略Ｌ字形状に突出して形成されている。
【００１５】
そして、保護シールド５は、ヘルメット本体２の前側にガイドシート３が係止ピン８及び係合凸部９で取り付けられた状態で、ヘルメット本体２とガイドシート３との間で本体部３ａに取り付けられる。本体部３ａにおいて、保護シールド５の中央摺動凸部１７は中央ガイド孔１４ａの幅広孔１４ａｂから内側に挿入され、図１０に示すＵ字状断面部分が中央ガイド孔１４ａの両側縁みに摺動可能に支持される。また、側部摺動凸部１８も側部ガイド孔１４ｂの幅広部１４ｂｂから挿入され、図１０に示す略Ｌ字状断面部分が側部ガイド孔１４ｂの両側縁に摺動可能に支持される。そのため、保護シールド５は各ガイド孔１４ａ、１４ｂにガイドされてヘルメット本体２の前側でヘルメット１を装着した使用者の顔面に対して進退可能とされ、保護シールド５は中央摺動凸部１７と側部摺動凸部１８とが中央ガイド孔１４ａと側部ガイド孔１４ｂの任意の位置で摩擦係止状態に保持可能である。
【００１６】
次に、図１に示すハンモック４は、例えばポリエチレンなどで形成されたものであり、使用者の頭頂部に接する中央部分４ａから周方向に所定間隔で配置され放射状に延設した複数の支持バンド２０を備えて形成されている。また、ハンモック２には、各支持バンド２０の下端の外面（ヘルメット本体２の内面２Ｂ側を向く面）側に設けた連結部２１に略瓢箪形の貫通孔２１ａが穿孔されている。
本実施例では、支持バンド２０が４本設けられており、隣り合う支持バンド２０はそれぞれ略９０度の角度をなすように略十字形状に延びて配設されている。ハンモック４の４本の支持バンド２０の各貫通孔２１ａはそれぞれヘルメット本体２の内面２Ｂ後方側に設けた係止ピン８，８の係止受け部８ｂ、８ｂと内面２Ｂの前方側に装着したガイドシート３の各ウイング部３ｂに設けた第二係止ピン１５、１５とにそれぞれ係合されることになる。
４本の支持バンド２０が中央部分４ａから略十字形状をなすように互いに略同一直線上に配されることによって、ヘルメット本体２に作用した衝撃力を確実にハンモック４で受け止め、使用者の頭部を保護する。
【００１７】
また、このように形成したハンモック４は、各支持バンド２０の途中部分から分岐された固定バンド２３が略環状のヘッドバンド２４に一体に連結されている。このヘッドバンド２４は、使用者の頭部の全周に囲うように頭部を覆って、ハンモック４とともにヘルメット１の装着安定性を確保するためのものであり、その内径寸法を図示しない調整機構で調整することによって頭部の大きさが異なる各使用者が同じヘルメット１を使用できるように構成されている。なお、ヘッドバンド２４はなくてもよい。
また、図１に示す保護フィルム６は、その下部両側に一対の穴６ａ，６ａが穿孔されている。保護フィルム６をヘルメット本体２に装着されたガイドシート３の各ガイド孔１４ａ、１４ｂを覆うように配設した状態で、第二係止ピン１５、１５に穴６ａ，６ａを嵌挿させ、その上にハンモック４を装着することでヘルメット本体２内面に保持される。
【００１８】
次に保護シールド５をヘルメット本体２内に収納して係止保持する止め具２６について図１１及び図１２により説明する。
止め具２６は、図１１（ａ）〜（ｃ）に示すように、例えば略四角形板状とされ、一方の端部に中央摺動凸部１７への係止片２６ａが形成され、中央部には中央ガイド孔１４ａのストッパ孔１４ａｃに嵌合するストッパ部２６ｂが形成され、他端部には係止片２６ａとストッパ部２６ｂとは反対側に湾曲した把持部２６ｃが設けられている。
保護シールド５をヘルメット本体２内に収納した後退位置において、保護シールド５の中央摺動凸部１７は中央ガイド孔１４ａの幅広孔１４ａｂに位置しており、両側の側部摺動凸部１８，１８も同様に側部ガイド孔１４ｂ、１４ｂの幅広孔１４ｂｂに位置している。この状態で、図１２に示すように、係止片２６ａを中央摺動凸部１７に係止すると共に、中央ガイド孔１４ａの幅広孔１４ａｂに隣接するより幅広のストッパ孔１４ａｃに止め具２６のストッパ部２６ｂを挿入することで、保護シールド５をガイドシート３に固定できる。このとき、ストッパ孔１４ａｃに係合するストッパ部２６ｂは、中央ガイド孔１４ａの幅広孔１４ａｂより幅広であるために、止め具２６や保護シールド５が外れたりずれたりすることはない。
止め具２６はストッパ部２６ｂをストッパ孔１４ａｃに嵌合することでガイドシート３に固定されており、保護シールド５は不使用状態で係止片２６ａに中央摺動凸部１７が係合状態に保持され（図１２参照）、使用時には保護シールド５をヘルメット本体２の外部に引き出すことで、止め具２６が弾性変形して係合片２６ａから外れる。保護シールド５を使用状態からヘルメット本体２内に収納する際は、保護シールド５を後退位置に押し込むことで幅広孔１４ａｂに到達する中央摺動凸部１７が、弾性変形する止め具２６の係止片２６ａを乗り越えて係止片２６ａと互いに係合状態になる。
保護シールド５は中央摺動凸部１７と側部摺動凸部１８が本体部３ａの各ガイド孔１４ａ、１４ｂの両側縁に摩擦係止されることで任意の位置に保持され、指等による荷重を与えないと摺動しない。
【００１９】
本実施例によるヘルメット１は上述の構成を有しており、次にヘルメット１の組立方法について説明する。
まず、ガイドシート３の本体部３ａに設けた中央ガイド孔１４ａと側部ガイド孔１４ｂ、１４ｂの幅広孔１４ａｂ、１４ｂｂ、１４ｂｂに保護シールド５の中央摺動凸部１７、側部摺動凸部１８，１８を位置させ、止め具２６に中央摺動凸部１７を嵌合させる。
次いで、ヘルメット本体２の内面２Ｂの前側にガイドシート３を装着し、両側のウイング部３ｂ、３ｂの一対の孔部１２、１２と係合孔部１３、１３を、ヘルメット本体２の内面２Ｂにおける一対の係止ピン８，８と略コの字状の係合凸部９，９に嵌合して係止させる。このとき、係止ピン８はその基部８ａにウイング部３ｂの孔部１２を嵌合する。
この状態で、保護シールド５はヘルメット本体２の内面２Ｂに収納された退避位置とヘルメット本体２の外側に降下した進出位置との間で、各ガイド孔１４ａ、１４ｂに沿って摺動して進退可能となる。
保護シールド５をヘルメット本体２内に収納した状態で、後退位置にある保護シールド５は中央摺動凸部１７が止め具２６で係止させられる。
【００２０】
つぎに、ハンモック４をヘルメット本体２に装着する。ハンモック４の後部側の一対の支持バンド２０、２０の各連結部２１を貫通孔２１ａでヘルメット本体２の内面２Ｂに設けた係止ピン８，８の係止受け部８ｂ、８ｂに係合させる。また、ハンモック４の前部側の一対の支持バンド２０、２０の各連結部２１を貫通孔２１ａでガイドシート３の第二係止ピン１５、１５に係合させる。
このようにしてヘルメット１が得られる。
なお、使用者がヘルメット１を装着する際、保護シールド５を進退作動させる際に、頭髪が摺動凸部１７，１８とガイド孔１４ａ、１４ｂとの間に絡むことを防止するには、本体部３ａの表面に保護フィルム６を貼り付けておけばよい。
【００２１】
上記のように本実施例によるヘルメット１によれば、次の効果を奏する。
（１）  ガイドシート３をヘルメット本体２の内面２Ｂに係止する際、両側のウイング部３ｂ、３ｂに設けた各一対の孔部１２と略コの字形状の係合孔部１３を、内面２Ｂに一体形成した各一対の略Ｕ字状の係止ピン８と略コの字形状の係合凸部９とに嵌合した４点支持構成であるから、係合孔部１３の内側にハンモック４用の第二係止ピン１５を設けても、ガイドシート３やハンモック４がぐらつくことはなく、外れにくく安定した装着性能を発揮できる。
（２）  ヘルメット本体２の内面前側に取り付けたガイドシート３にハンモック取り付け用の第二係止ピン１５，１５を設けると共に、第二係止ピン１５の外側に取り付けた略コの字形状の係合凸部９、９にガイドシート３の係合孔部１３を装着したから、ガイドシート３とヘルメット本体２の内面２Ｂとの間で進退する保護シールド５の幅を係合凸部９、９間の幅まで広く形成でき、係止ピン１５，１５によって制限を受けないので使用者の顔面を十分に保護できる。
（３）  ハンモック４の支持バンド２０を略十字形状に形成する等、支持バンド２０の取り付け位置が保護シールド５の位置に制限を受けないから、ハンモック４の装着安定性と強度が高く耐衝撃性も高い。
（４）  係合凸部９にガイドシート３を嵌合する際、略コの字形状の係合孔部１３を嵌合させたため、ガイドシート３の装着強度が高く、外れにくい。しかもガイドシート３に穿孔した係合孔部１３の前後の縁部はそれぞれリブ９ａ、９ｂに乗り上げて係止されるため、ガイドシート３は係合凸部９の頂部とほぼ面一または面一に近い高さとなり、使用者の頭部に係合凸部９が接触して不快感や痛みを感じさせることはない。しかも、リブ９ａ、９ｂによってガイドシート３とヘルメット本体２との間に保護シールド５が摺動する間隙を形成することができ、小さいスペースで保護シールド５の摺動をスムーズに行うことができる。
（５）  ヘルメット本体２に一体形成した係止ピン８は、ガイドシート３のウイング部３ｂの孔部１２が基部８ａに嵌合し、係止受け部８ｂにハンモック４の支持バンド２０の連結部２１に設けた貫通孔２１ａを嵌合してなる二段で二種の部材を係止する構成としたから、確実にガイドシート３とハンモック４を保持できる上に部品点数を削減できてコストが低廉になる。
【００２２】
なお、本発明によるヘルメット１は、上述の実施例に限定されるものではなく、その趣旨を逸脱しない範囲で適宜変更可能である。
例えば、本実施例では、互いに嵌合する係合凸部９とガイドシート３の係合孔部１３とは略コの字形状に形成したが、このような構成に限定されることなく、例えば略Ｌ字形状やＵ字形状、Ｖ字形状等の屈曲部や湾曲部を有する構成とすればよく、ヘルメット本体２とガイドシート３との係合を確実にしかも強固にすることができる。
また、係合凸部９に連結するリブ９ａ，９ｂは単なる突起でもよく、或いは係合凸部９とは分離して近傍に配設されていてもよい。要するに係合凸部９にガイドシート３の係合孔部１３を嵌合させた際、ガイドシート３が係合凸部９の頂部と面一になるか、面一に近い高さ位置にあればよい。
【００２３】
また、本実施例では、ハンモック４が支持バンド２０を４本備えて形成されているものとしたが、これに限定する必要はなく、例えば６本や８本の支持バンド２０を備えていてもよい。この場合、実施例ではガイドシート３に第二係止ピン１５を二本設けて２本の支持バンド２０を取り付ける構成にしたが、支持バンド２０の本数に応じて３本以上の支持バンド２０を取り付けるよう３本以上の第二係止ピン１５をガイドシート３に設けてもよい。また、ヘルメット本体２に一体に取り付ける係止ピン８も任意の本数に設定できる。
また、上述の実施例では、ガイドシート３において係合孔部１３より内側に第二係止ピン１５を設けたが第二係止ピン１５の取り付け位置は任意であり、係合孔部１３の外側または同一位置に第二係止ピン１５を設けてもよい。
【図面の簡単な説明】
【００２４】
【図１】本発明の実施例によるヘルメットの要部分解斜視図である。
【図２】ハンモックを除くヘルメットの内面の一部破断平面図である。
【図３】ヘルメット内面と外面をそれぞれ約半分づつ示す平面図である。
【図４】ヘルメット本体の内面の部分拡大図である。
【図５】（ａ）は図３に示す係合凸部のＡ−Ａ線水平断面図、（ｂ）は図４に示す係合凸部のＢ−Ｂ線縦断面図である。
【図６】ガイドシートの平面図である。
【図７】図６に示す第二係合ピンのＣ−Ｃ線縦断面図と水平断面図である。
【図８】保護シールドの平面図である。
【図９】図８に示す保護シールドの中央縦断面図である。
【図１０】図８における中央摺動凸部のＤ−Ｄ線断面図と側部摺動凸部のＥ−Ｅ線断面図である。
【図１１】止め具を示すもので、（ａ）は平面図、（ｂ）は側面図、（ｃ）はＦ−Ｆ線縦断面図である。
【図１２】保護シールドの中央摺動凸部に止め具を嵌合させた状態の要部中央縦断面図である。
【符号の説明】
【００２５】
１  ヘルメット
２  ヘルメット本体
３  ガイドシート
４  ハンモック
５  保護シールド
６  保護フィルム
８  係止ピン
９  係合凸部
９ａ，９ｂ  リブ
１２  孔部
１３  係合孔部
１５  第二係止ピン
１４ａ  中央部ガイド孔
１４ｂ  側部ガイド孔
１７  中央摺動凸部
１８  側部摺動凸部
２６  止め具
【図１】
0005067119.tif 000002
【図２】
0005067119.tif 000003
【図３】
0005067119.tif 000004
【図４】
0005067119.tif 000005
【図５】
0005067119.tif 000006
【図６】
0005067119.tif 000007
【図７】
0005067119.tif 000008
【図８】
0005067119.tif 000009
【図９】
0005067119.tif 000010
【図１０】
0005067119.tif 000011
【図１１】
0005067119.tif 000012
【図１２】
0005067119.tif 000013